(57)【要約】【課題】  不使用時のレンズの保護が可能となり、指などの汚れが付着したり、硬質物体が擦れることによる傷つきが防止できる携帯端末を得る。【解決手段】  ２つの筐体１、２を折り曲げ可能な可撓性を有した連結装置３で連結し、不使用時には連結装置３を折り曲げて閉じた状態の筐体１、２同士にベルト部材６を係止して保持する一方、使用時にはベルト部材６の係止を解除して連結装置３の戻り力により筐体１、２同士が平坦に開かれる携帯端末１００であって、筐体１に設けられたカメラ部のレンズを、筐体１、２同士に亘って係止されたベルト部材６に覆われる位置に配設した。【選択図】図１
2006019941.tif 000002
【特許請求の範囲】
【請求項１】
２つの筐体を折り曲げ可能な可撓性を有した連結装置で連結し、不使用時には該連結装置を折り曲げて閉じた状態の前記筐体同士にベルト部材を係止して保持する一方、使用時にはベルト部材の係止を解除して前記連結装置の戻り力により前記筐体同士が平坦に開かれる携帯端末であって、
前記筐体に設けられたカメラ部のレンズが、前記筐体同士に亘って係止された前記ベルト部材に覆われる位置に配設されたことを特徴とする携帯端末。
【請求項２】
前記レンズに接触するクリーナー部材が、前記ベルト部材に設けられたことを特徴とする請求項１記載の携帯端末。
【請求項３】
前記２つの筐体が、閉じたときに主面同士を対向させる上筐体と下筐体とからなり、該上筐体の主面に表示部が設けられるとともに該下筐体の主面に操作部が設けられ、かつ該操作部のキートップが前記下筐体の主面における最頂部未満に配設されたことを特徴とする請求項１又は請求項２記載の携帯端末。
【請求項４】
前記２つの筐体が、閉じたときに主面同士を対向させる上筐体と下筐体とからなり、該上筐体の主面に表示部が設けられるとともに該下筐体の主面に操作部が設けられ、かつ該操作部のキートップより突出した少なくとも３つの凸部が同一直線上に並ばずに前記下筐体の主面に設けられたことを特徴とする請求項１又は請求項２記載の携帯端末。
【請求項５】
前記２つの筐体が、閉じたときに主面同士を対向させる上筐体と下筐体とからなり、該上筐体の主面に表示部が設けられるとともに該下筐体の主面に操作部が設けられ、かつ該操作部のキートップより突出した一対の略平行な直線状のリブが前記下筐体の主面に設けられたことを特徴とする請求項１又は請求項２記載の携帯端末。
【発明の詳細な説明】
【技術分野】
【０００１】
本発明は、２つの筐体が可撓性を有する連結装置によって折り曲げ可能に連結され、不使用時には連結装置を折り曲げて閉じた状態となった筐体同士にベルト部材が係止されて保持される携帯端末に関し、さらに詳しくは、筺体に設けられたカメラ部のレンズ保護技術に関する。
【背景技術】
【０００２】
携帯電話などの携帯端末では、筺体にカメラ機能を内蔵させ、撮影した静止画や動画を通信機能によって送信する技術が実用化されている（特許文献１参照）。例えば、表示部側筐体と操作部側筐体とが連結部によって折畳み可能に連結されている携帯端末（折畳み式携帯電話機）では、表示部側筐体にカメラユニットが備えられ、カメラユニットは鏡筒部、レンズ、撮像素子などからなる。この折畳み式携帯電話機の場合、使用者は、両筐体を開いた状態で、レンズを被写体へ向け、操作部を操作することによって撮影し、画像を表示部に写し出すことができる。そして、このようなカメラユニットを備えた携帯端末では、レンズが筺体外部に露出されたままで設けられるのが一般的であった。
【０００３】
【特許文献１】特開２００１−３２０４５４号公報
【発明の開示】
【発明が解決しようとする課題】
【０００４】
しかしながら、カメラユニットを内蔵した従来の携帯端末は、レンズを筺体外部に露出させているため、カメラ使用時に、レンズ表面に手指の汚れ（指紋など）やごみが付着していると、撮影画像にフレアーが発生したりごみが写し込まれ、画質を低下させる虞があった。これに対し、レンズ清掃用のクリーナーを常に携帯して撮影前に汚れを除去するのは煩雑であり、利便性の要請が高い携帯端末では現実的な対策とは言えなかった。また、露出したレンズには硬質物体が接触することもあり、この場合、一度レンズに傷がつけば、レンズ交換以外には画質の改善は期待できなかった。
本発明は上記状況に鑑みてなされたもので、不使用時のレンズの保護が可能となり、指などの汚れが付着したり、硬質物体が擦れることによる傷つきが防止できる携帯端末を提供し、もって、汚れ、傷つきによる画質低下の防止を図ることを目的とする。
【課題を解決するための手段】
【０００５】
上記目的を達成するための本発明に係る携帯端末は、２つの筐体を折り曲げ可能な可撓性を有した連結装置で連結し、不使用時には該連結装置を折り曲げて閉じた状態の前記筐体同士にベルト部材を係止して保持する一方、使用時にはベルト部材の係止を解除して前記連結装置の戻り力により前記筐体同士が平坦に開かれる携帯端末であって、前記筐体に設けられたカメラ部のレンズが、前記筐体同士に亘って係止された前記ベルト部材に覆われる位置に配設されたことを特徴とする。
【０００６】
この携帯端末では、携帯端末の不使用時、折り曲げて閉じられた状態の筐体同士に亘ってベルト部材が係止され、筺体に設けられたカメラ部のレンズが、この係止されたベルト部材の下側となって覆われ、人間の指などの汚れ（指紋など）や、硬質物体の接触などから保護される。
【０００７】
また、本発明に係る携帯端末は、前記レンズに接触するクリーナー部材が、前記ベルト部材に設けられたことを特徴とする。
【０００８】
この携帯端末では、携帯端末の不使用時、折り曲げて閉じられた状態の筐体同士に亘ってベルト部材が係止され、筺体に設けられたカメラ部のレンズが、この係止されたベルト部材の下側となって覆われ、かつベルト部材に設けられたクリーナー部材がレンズに接触状態となる。そして、この携帯端末では、筐体同士が折り曲げ可能な可撓性を有した連結装置で連結され、かつベルト部材も可撓性を有しているので、持ち歩いたり、鞄の中に入れて移動した場合、筺体同士、及び筺体とベルト部材とが僅かに相対変位し、レンズに対してクリーナー部材が微妙に移動することとなる。これにより、レンズに付着した汚れがクリーナー部材により拭き取られて自然に掃除され、レンズが常に汚れのない綺麗な状態に維持される。
【０００９】
そして、本発明に係る携帯端末は、前記２つの筐体が、閉じたときに主面同士を対向させる上筐体と下筐体とからなり、該上筐体の主面に表示部が設けられるとともに該下筐体の主面に操作部が設けられ、かつ該操作部のキートップが前記下筐体の主面における最頂部未満に配設されたことを特徴とするものである。
【００１０】
この携帯端末では、操作部のキートップが下筐体の主面における最頂部未満に配設されることで、上筐体、下筐体を反転させ、ベルト部材によって反転端同士を繋ぎとめ、携帯端末を、下筐体がベース部となるような卓上端末として使用した場合に、下筐体の主面における最頂部が机上面に接触する。つまり、携帯端末の自重が最頂部によって支持される。これにより、携帯端末の自重により机上から反力を受け、キートップが押下されることによる誤動作が防止される。
【００１１】
また、本発明に係る携帯端末は、前記２つの筐体が、閉じたときに主面同士を対向させる上筐体と下筐体とからなり、該上筐体の主面に表示部が設けられるとともに該下筐体の主面に操作部が設けられ、かつ該操作部のキートップより突出した少なくとも３つの凸部が同一直線上に並ばずに前記下筐体の主面に設けられたことを特徴とする。
【００１２】
この携帯端末では、携帯端末を卓上端末として使用した場合に、下筐体の主面における３つの凸部が机上面に接触し、携帯端末の自重が凸部によって支持される。これにより、キートップを主面から突出させた良好な操作性を維持させながら、キートップが携帯端末の自重により押下されることによる誤動作が防止される。また、凸部が同一直線上に並ばないことから、下筐体をグラツキなく机上などに安定的に置くことが可能となる。
【００１３】
さらに、本発明に係る携帯端末は、前記２つの筐体が、閉じたときに主面同士を対向させる上筐体と下筐体とからなり、該上筐体の主面に表示部が設けられるとともに該下筐体の主面に操作部が設けられ、かつ該操作部のキートップより突出した一対の略平行な直線状のリブが前記下筐体の主面に設けられたことを特徴とするものであってもよい。
【００１４】
この携帯端末では、携帯端末を卓上端末として使用した場合に、下筐体の主面における一対の略平行な直線状のリブが机上面に接触し、携帯端末の自重がこのリブによって支持される。これにより、キートップを主面から突出させた良好な操作性を維持させながら、キートップが携帯端末の自重により押下されることによる誤動作が防止される。そして、机上面との接触がリブであるので、突起に比べて大きな接触面の確保が可能となり、下筐体をグラツキなく机上などに安定的に置くことが可能となる。また、一対の略平行な直線状のリブが主面の両側に配設されれば、外側からキートップ側へのゴミの進入が防止可能となる。さらに、閉じられた状態の上筐体と下筐体が、外力によって主面と平行な方向でズレた場合であっても、上筐体がリブから外れ難く、上筐体がリブから外れ、上筐体と下筐体との主面同士が直接接触することによる擦傷が生じない。
【発明の効果】
【００１５】
本発明に係る携帯端末によれば、筐体に設けられたカメラ部のレンズが、筐体同士に亘って係止されたベルト部材に覆われる位置に配設されたので、携帯端末の不使用時にはレンズがベルト部材によって覆われて保護され、レンズに人間の指などの汚れ（指紋など）が付着したり、硬質物体が擦れることによる傷つきを防止することができる。この結果、レンズの汚れ、傷つきによる画質の低下を防止して、常に良好な画像を得ることができるようになる。
【発明を実施するための最良の形態】
【００１６】
以下、本発明に係る携帯端末の好適な実施の形態を図面を参照して説明する。
図１は本発明に係る携帯端末の外観を示す斜視図、図２は図１の分解斜視図、図３は図１の本体部を裏面から見た斜視図、図４は（ａ）に本発明に係る携帯端末の開いた状態の本体部及びこれに設けた連結装置を示し、（ｂ）にその本体部が閉じた状態を示す説明図、図５は本発明に係る携帯端末を開いたときの中央断面図である。
本実施の形態に係る携帯端末（折曲型携帯電話機）１００は、大略構成として、本体部Ａと、本体部Ａの外面に設けられるファッションカバーＢとから構成される。
【００１７】
本体部Ａは、図１に示すように、上筐体１及び下筐体２からなる筐体と、これら上下の筐体１、２を固設しこれら上下の筐体１、２の間で折り曲り可能な連結装置３とを備えている。
【００１８】
このうち、上筐体１は、第１の音声出力部である受話部（レシーバ）１１と、第２の音声出力部であるスピーカ１２（図５参照）と、表示部１３と、永久磁石１４と、第１プリント基板１５（図５参照）、カメラ部２４（図５参照）などを収容している。なお、第１プリント基板１５には、表示部１３を構成するＬＣＤ等が設けられている。
【００１９】
一方、下筐体２には、送話部（マイクロフォン）２１と、操作部２２と、バイブレータ部２３（図５参照）と、ホール素子２５と着脱可能な電池２６（図５参照）と、第２プリント基板２７（図５参照）などを収容している。なお、第２プリント基板２７は、送受信部、データ変換部、音声処理部、画像処理部、情報記録部及び制御部などを実装している。
【００２０】
連結装置３は、折曲可能な連結部を挟んで上下の筐体１、２を固設するものであり、主に、シート状部材と屈曲性部材とで構成されており、アンテナ３４（図４参照）と、可撓性配線部材（例えば、フレキシブル基板など）３５とを収容している。
【００２１】
連結装置３は、上筐体１の下側端面側と下筐体２の上側端面側とを連結するものであり、この連結装置３の屈曲動作により連結部３Ａで、図１の矢印Ｐ方向及びその反対方向に折曲可能となる。つまり、不使用時には、図４（ｂ）に示すように、本体部Ａが閉じた状態、すなわち、上筐体１が下筐体２と対面（対向）する状態に折り曲げられる。他方、使用時には、図４（ａ）に示すように、使用者の顔が上筐体１と下筐体２に対面するように本体部Ａが開かれる。
【００２２】
受話部であるレシーバ１１は、本体部Ａを閉じた時に下筐体２と対面する上筐体１の主面１Ａに設けられ、この主面１Ａから音声が出力するように配設されている。本実施の形態に係る折曲型携帯電話機１００を通常使用するときには、通信相手の音声を出力するものである。一方、図５に示したスピーカ１２は、上筐体１の主面１Ａとは反対側の裏面１Ｂに設けており、メールや電話の待ち状態のようなときには、この裏面１Ｂから着信音を出力するように配設されている。
【００２３】
送話部のマイクロフォン２１と操作部２２は、本体部Ａが閉じた状態のときに上筐体１の主面１Ａと対向する下筐体２の主面２Ａに設けられている。バイブレータ部２３は、着信時に起振することにより着信を振動で報知するものである。
【００２４】
カメラ部２４は、鏡筒部２４ａ、レンズ２４ｂ、光電変換素子２４ｃなどを備えてなり、例えば第１プリント基板１５の裏面に付設される。第１プリント基板１５に付設されたカメラ部２４は、上筐体裏面部（裏面）４Ｄ及び外観部４Ｂを貫通して穿設された第２開口孔４Ｊを介してレンズ２４ｂが外観部４Ｂに露出され、表示部１３の後方の被写体が撮像可能になっている。カメラ部２４が捉えた被写体からの入射光は、レンズ群を通過してＣＣＤ（電荷結合素子）などの光電変換素子２４ｃにて光信号から電気信号に変換され、画像情報が生成される。この画像情報は、画像処理部にて処理された後、表示部１３に画像を生成する。
【００２５】
ホール素子２５は、筐体用永久磁石１４の磁界を検出する手段とされ、本体部Ａが閉じた状態のときには筐体用永久磁石１４と対向するように、第２プリント基板２７上に設けられている。このホール素子２５は、本体部Ａが閉じられた閉状態では、筐体用永久磁石１４が近接状態にあるため、筐体用永久磁石１４の磁界を検出して制御部に検出信号を出力する。また、このホール素子２５は、本体部Ａが開状態であれば筐体用永久磁石１４が離間するので、この筐体用永久磁石１４の磁界を検出できないため、ホール素子２５は検出信号を生成しない。
【００２６】
すなわち、ホール素子２５が筐体用永久磁石１４を検出すると本体部Ａは閉じた状態であり、検出できなければ開いた状態である。本実施の形態に係る折曲型携帯電話機１００では、筐体が閉じた状態のとき、受信待受け状態であれば表示部１３には何も表示されず、電力が消費されない。また、表示部１３を照明する照明手段（図示せず）も発光しない。開いた状態であれば、受信電界強度を示すマーク、電池残容量情報、時刻情報や着信情報等が表示されるとともに、照明手段による照明が行われる。
【００２７】
連結装置３は、本体部Ａが閉じられるときには屈曲し、本体部Ａが開かれるときには屈曲状態が解除されるものであり、可撓性を有し、中央部の連結部３Ａを隔てて上下２つの筐体１、２を固設するシート状部材と、折り曲げるとフラットな状態（折り曲げる前の状態）に戻る復元力と剛性を有し、上下２つの筐体１、２を固設する屈曲性部材とを備えている。連結装置３は、図５に示すように、第１連結部材３１と、第２連結部材３２と、第３連結部材３３とから構成されている。このうち、第１連結部材３１と第３連結部材３３がシート状部材を構成するとともに、第２連結部材３２が屈曲性部材を構成している。
【００２８】
第１連結部材３１は、上筐体１の主面１Ａ及び下筐体２の主面１Ｂと同じ向きの面を構成するのと同時に、上筐体１の外表面と下筐体２の外表面を一体的に形成する（上下筐体１、２の外表面を兼用する）。第２連結部材３２は、上筐体１から下筐体２に跨って設けられ、可撓性と剛性を有する薄板状の鋼材（炭素工具鋼鋼材やステンレス鋼等）で形成してある。第３連結部材３３は、下筐体２の裏面２Ｂを一体に連結するとともに、第２連結部材３２や可撓性配線部材３５を覆い隠すようにして第１連結部材３１に取付けられる。
【００２９】
なお、第１連結部材３１と第３連結部材３３とは、熱可塑性ポリエステル・エーテル・エラストマやポリウレタン樹脂など可撓性を有する適宜の材料で形成してある。また、この第１連結部材３１と第３連結部材３３を形成する材料は、上述した材料に限るものではなく、可撓性や弾性を有する材料でシート状に形成すればよい。
【００３０】
第１連結部材３１で構成する上下の筐体１、２の主面１Ａ、２Ａの内面側は、主面１Ａ、２Ａの形成材料とは異なるＡＢＳ樹脂などの別の材料を用いて内面部１Ｃ、２Ｃを形成してある。すなわち、異種材料で一体的に形成される異材質成形法（例えば、インサート成形など）によって、上筐体１及び下筐体２を一体的に構成する。本実施の形態では、熱可塑性ポリエステル・エーテル・エラストマで成形される上筐体１及び下筐体２の外表面（実際には、第１連結部材３１で構成している）１Ａ、２Ａと、ＡＢＳ樹脂で成形される窓枠部１３Ａとを一体的に形成している。
【００３１】
第２連結部材３２は、図４に示すように、上筐体１から下筐体２に向かって直線状に延設されており、その断面形状は、薄板が幅Ｗ１、曲率Ｒ２の円弧状に形成されている。なお、曲率Ｒ２の中心は、上筐体１の主面１Ａ側（または下筐体２の主面２Ａ側）にあり、この中心を点Ｏで示す。
【００３２】
図４（ａ）に示すように、本体部Ａの連結装置３が開いた状態では、第２連結部材３２は曲率Ｒ２の断面円弧状が片端から他端まで維持されながら上筐体１から下筐体２に向かって直線状に延在しており、安定した状態が保持されている。ここで、この本体部Ａの連結装置３が開いた状態（図１の状態）から、さらに開放（拡開）させるために矢印Ｐとは反対方向へ曲げようとしても、湾曲状態が形成されているときには、この湾曲状態を解除させようとする（本体部Ａをフラットな開放状態からさらに開放する）方向への剛性が高められており、開放状態を保持しようとする力（以下、これを「湾曲保持力」とよぶ）が発生している。従って、本体部Ａを開放上体からさらに開放させる方向、つまり凹状の湾曲面（負曲面）方向とは反対の凸状の背曲面（正曲面）方向への開放に要する力（逆曲力）は、Ｐ方向へ本体部を閉じるのに要する力（折曲力）に比べて格段と大きいので、曲がりづらい。この曲がりづらさは、第２連結部材３２の固定方法や断面２次モーメント、ヤング率等から決定される。
【００３３】
一方、逆に、所定以上の力で矢印Ｐ方向（図５参照）へ曲げると、第２連結部材３２の中央部は、飛び移り現象によって本体部Ａの連結装置３が閉じる方向へ曲がるが、塑性変形はせず、加えた力を排除すると復元力で元のフラットな開放状態に復帰して、本体部Ａの連結装置３は開かれた状態に戻る。すなわち、第２連結部材３２は、本体部Ａが開かれた状態から矢印Ｐ方向への容易な曲げ動作がおこなわれるのを防止する手段としても機能する。
【００３４】
したがって、本体部Ａを開いているときには、第１、第２、第３連結部材３１〜３３がストレート（真直）な開放状態となり、第２連結部材３２の剛性によってこの状態が維持される。下筐体２を手に持ったときには上筐体１が開放状態を保持して静止しており、矢印Ｐ方向には曲がらず、またその反対方向へは垂れ下がらない。しかも、本体部Ａを閉じるときには容易に閉じることができる。
【００３５】
次に、ファッションカバーＢについて説明する。
ファッションカバーＢは、基材であるベース部材４Ａ（図５参照）と、ベース部材４Ａの外表面を覆い、綿や麻などの天然繊維、アクリルやナイロン、ウレタンなどからなる合成繊維や革部材など、ファッション性に富んだ材料（外皮）からなる外観部４Ｂと、同様な材料をベース部材４Ａの外周面に、外観部４Ｂと連設した縁巻き部４Ｃとで構成されている。
【００３６】
ベース部材４Ａは、熱可塑性ポリエステル・エーテル・エラストマやポリウレタン樹脂など可撓性を有する適宜の材料で形成されている。ベース部材４Ａの内面には、上筐体１の裏面１Ｂを形成する上筐体裏面部（裏面）４Ｄと、電池２６を覆う電池カバー部４Ｅとが、ＡＢＳ樹脂で一体的に形成されている。すなわち、ベース部材４Ａも異材質成形を用いている。また、ベース部材４Ａの裏面が上下の筐体１、２に装着されたときに該筐体１、２の外形より外側に突出する屈曲可能な突出部を形成するために、中央には湾曲部４Ｆが設けられている。
【００３７】
上筐体裏面部４Ｄには下穴３３２Ｂが設けられ、上筐体１に対してタッピンねじ２９によって螺着される。ファッションカバーＢは、ベース部材４Ａの例えば電池カバー部４Ｅに形成された係合部としての係合爪４Ｇが下筐体２に形成された引掛け爪２Ｄに対して着脱可能に装着される。本体部Ａに対してベース部材４Ａの内面側が取付けられると、連結部３Ａに対して湾曲部４Ｆが離間するようになっている。
【００３８】
ベース部材４Ａの外表面に設けられる外観部４Ｂ（外皮）は、ベース部材４Ａに対して外皮４Ｂが移動するのを防止するために、予めベース部材４Ａに対して外皮４Ｂを接着固定して位置決めが行われる。次にベルト部材６を糸でベース部材４Ａとともに外皮４Ｂに縫製し、次に縁巻き部４Ｃを糸５Ｂでベース部材４Ａとともに外皮４Ｂに縫製する。縁巻き部４Ｃを縫製するときには、ミシンによる素材押さえ、素材送りのため、ベース部材４Ａの端面から所定の距離だけ平坦部が確保されている。
【００３９】
外観部４Ｂには、スピーカ１２から出力された音声を通過させる第１開口孔４Ｈや、カメラ部２４の前方を開口した第２開口孔４Ｊが設けられている。外皮４Ｂは、前述したように、ベース部材４Ａに貼り付けられた後に縫製される。
【００４０】
また、このファッションカバーＢの外観部４Ｂの一端側（電池カバーの裏面側近傍）には、一端が縫製され他端には中央に凸部６Ａが形成された磁性体の金具６Ｂが設けられたベルト部材６が取付けられている。また、外観部４Ｂの他端側（レシーバの裏面近傍側）には、内部に第２永久磁石４Ｋ（図５参照）を有し中央に凹部４Ｌが形成された係合部４Ｍが設けられている。
【００４１】
これにより、本体部Ａを閉じた時、ベルト部材６を折り曲げて外観部４Ｂの他端部寄りに設けた係合部４Ｍに金具６Ｂを吸着させて係合させることができる。このとき、縁巻き部４Ｃが本体部Ａに近接する方向へ倒れ、ベルト部材６が折り曲げられながらも張架して、金具６Ｂと係合部４Ｍが係合し、本体部Ａが略密着するように閉じられる。
【００４２】
このようにして、本体部Ａを閉じたときには、第２連結部材３２の戻り力Ｆ２により本体部Ａが開こうとするが、金具６Ｂが係合部４Ｍに係合することで、本体部Ａに戻り力Ｆ２が作用していても本体部Ａが開かれることを防止することができる。
【００４３】
図６はベルト部材とレンズとの位置関係を表す携帯端末の外観斜視図、図７はベルト部材にクリーナー部材を備えた携帯端末の側面図、図８はベルト部材とレンズとの相対位置関係が異なる変形例を表す斜視図である。
ところで、本実施の形態による折曲型携帯電話機１００は、カメラ部２４のレンズ２４ｂと、ベルト部材６とが特定の相対位置関係で配設されている。すなわち、図６に示すように、カメラ部２４のレンズ２４ｂは、本体部Ａを閉じたとき筐体１、２同士に亘って係止されたベルト部材６に覆われる位置に配設されている。
【００４４】
なお、本実施の形態では本体部ＡにファッションカバーＢが被着され、ファッションカバーＢに設けられたベルト部材６によって、本体部Ａが閉じた状態に保持されるが、本発明に係る携帯端末は、本体部Ａが閉じた状態において、レンズ２４ｂがベルト部材６によって覆われれば、ファッションカバーＢが被着されず、ベルト部材６が直接本体部Ａに設けられる構成であってもよい。
【００４５】
また、ベルト部材６のレンズ２４ｂに対向する面には、図７に示すクリーナー部材４１を設けることが好ましい。クリーナー部材４１は、ベルト部材６が本体部Ａを閉じ、レンズ２４ｂを覆った状態で、レンズ２４ｂに接触するよう突設されている。クリーナー部材４１としては、レンズ清掃用の布材などを用いることができる。クリーナー部材４１は、レンズ２４ｂが外観部４Ｂから突出されている場合には、ベルト部材６に突設する必要はなく、ベルト部材６のレンズ対向面に平坦に付設されればよい。
【００４６】
さらに、図６、図７の例ではレンズ２４ｂがベルト部材６の係止端側で覆われる場合を示したが、レンズ２４ｂは、図８に示すように、ベルト部材６の縫付端側に配設されてもよい。このような構成とすれば、凸部６Ａとレンズ２４ｂとが離間されるので、凸部６Ａが接触することによるレンズ２４ｂへの傷つきを生じ難くすることができる。
【００４７】
ベルト部材６は、金具６Ｂと係合部４Ｍの係合を解除する際、ベルト部材６の先端を引き上げるようにするとよい。すなわち、凹部４Ｌに嵌った凸部６Ａを抜くような力を加えると、簡単に係合が解除される。係合した状態で本体部Ａに戻り力Ｆ２が作用しているときには、凸部６Ａは凹部４Ｌの半径方向に寄せられるだけなので、容易には抜けない。この第２連結部材３２の戻り力Ｆ２は、本体部Ａを閉じた状態で上筐体１又は下筐体２自身の自重よりも小さく設定することで、ベルト部材６を用いなくても、折り曲げ状態を保持できるように構成してもよい。
【００４８】
また、ベルト部材６の金具６Ｂに凹部４Ｌを設け、外観部４Ｂの他端側に凸部６Ａを設けて、両者を磁力により吸着係合させるようにしてもよい。
【００４９】
次に、本実施形態の折曲型携帯電話機１００の動作について説明する。
上述のように構成された本実施形態の折曲型携帯電話機１００にあっては、普段使用しないときには、ベルト部材６で閉止することで上筐体１と下筐体２とが閉じて連結部３Ａで折れ曲がった状態を保持するが、使用するために、ベルト部材６の金具６Ｂと係合部４Ｍとの係合状態を解除すると、第２連結部材３２の戻り力Ｆ２により本体部Ａが開かれて略フラットな状態に戻って静止し、この開放状態が第２連結部材３２の湾曲保持力（作用）によって安定的に保持される。
【００５０】
一方、不使用時（受信待受け状態）には、本体部Ａに閉鎖力Ｆ１以上の閉じる力を与えて上筐体１の主面１Ａと下筐体２の主面２Ａを対面させ、ベルト部材６の金具６Ｂを係合部４Ｍに係合させて、本体部Ａを閉じた状態にすることができる。この本体部Ａが閉じられた状態では、ファッションカバーＢの湾曲部４Ｆが第３連結部材３３に近接しながら小さく折り曲げられ、しかも、縁巻き部４Ｃが上、下筐体１、２へ近づく方向に倒れているので、上下筐体１、２の主面１Ａ、２Ａに対して垂直方向に関する投影面積が最小となり、携帯性に好適となる。
【００５１】
また、この本体部Ａが閉じた状態では、第３連結部材３３の最肉薄部（凹部）３３Ｂが拡開し（図５参照）、連結部３Ａに対応する第２連結部材３２の中央部が平坦化する。このとき、第３連結部材３３の最肉薄部３３Ｂには、この部分の拡開状態を解消しようとする力が作用し、第２連結部材３２の中央部には平坦状から湾曲状に戻ろうとする力が作用し続けているが、前述したように、ファッションカバーＢの第１連結部材３１のベルト部材６に設けた金具６Ｂを係合部４Ｍに係合させることで、閉じられた状態が維持される。
【００５２】
そして、不使用時、折り曲げて閉じられた状態の本体部Ａにベルト部材６が係止されることで、カメラ部２４のレンズ２４ｂが、この係止されたベルト部材６の下側となって覆われ、人間の指などの汚れ（指紋など）や、硬質物体の接触などから保護される。
【００５３】
さらに、ベルト部材６にクリーナー部材４１が付設されている場合には、クリーナー部材４１がレンズ２４ｂに接触状態となる。折曲型携帯電話機１００は、本体部Ａが折り曲げ可能な可撓性を有した連結装置３で連結され、かつベルト部材６も可撓性を有しているので、持ち歩いたり、鞄の中に入れて移動した場合、筺体１、２同士、及び筺体１、２とベルト部材６とが僅かに相対変位し、レンズ２４ｂに対してクリーナー部材４１が微妙に移動することとなる。これにより、レンズ２４ｂに付着した汚れがクリーナー部材４１により拭き取られて自然に掃除され、レンズ２４ｂが常に汚れのない綺麗な状態に維持される。
【００５４】
次に、図３及び図５を用いて、ファッションカバーＢを本体部Ａに装着するときの動作について説明する。
同図に示すように、まず、初めに、ファッションカバーＢの上筐体裏面部４Ｄに本体部Ａの上筐体１を組付ける。次に、ファッションカバーＢの湾曲部４Ｆが略平坦になるように矢印Ｔ方向へ引く。矢印Ｔ方向へ引張った状態を２点鎖線で示す。ファッションカバーＢの電池カバー部４Ｅに形成された係合爪４Ｇを本体部Ａに形成された引掛け爪２Ｄに引掛けながら、ファッションカバーＢを矢印Ｔ方向とは反対方向へ移動させると、係合爪４Ｇと引掛け爪２Ｄが係合して、本体部Ａに対してファッションカバーＢの装着が完了する。
【００５５】
他の方法として、ファッションカバーＢの上筐体裏面部４Ｄに本体部Ａの上筐体１を組付けた後、本体部Ａを矢印Ｐ方向へさらに拡開させることで、ファッションカバーＢが矢印Ｔ方向へ移動させるだけの余長が生じる。後は、前述したように、係合爪４Ｇを本体部Ａに形成された引掛け爪２Ｄに引掛けながらファッションカバーＢを矢印Ｔ方向とは反対方向へ移動させると、係合爪４Ｇと引掛け爪２Ｄが係合して、本体部Ａに対してファッションカバーＢの装着が完了する。
【００５６】
このように、ファッションカバーＢに湾曲部４Ｆを設けたり、連結装置３を拡開させることにより、本体部Ａに対してファッションカバーＢを簡単に着脱可能にする。しかも、その操作方法は極めて簡単である。
【００５７】
また、本実施形態によれば、第１連結部材３１は、上筐体１と下筐体２を連続的に繋げた構成としたので、上下の筐体１、２に一体感を備えさせることができる。また、ファッションカバーＢを上筐体１に対して着脱できる構成（電池カバー部と同様な構成）にすれば、使用者は好みに応じてファッションカバーＢを自由に交換することも可能なので、使用者の好みに応じた個性的な折曲型携帯電話機１００を提供できる。また、勿論、ファッションカバーＢが汚れた際には交換して洗濯などもできるので、常に新鮮さ清潔さを維持できる。
【００５８】
したがって、本実施の形態による折曲型携帯電話機１００によれば、筐体１に設けられたカメラ部２４のレンズ２４ｂが、筐体１、２同士に亘って係止されたベルト部材６に覆われる位置に配設されたので、折曲型携帯電話機１００の不使用時にはレンズ２４ｂがベルト部材６によって覆われて保護され、レンズ２４ｂに人間の指などの汚れ（指紋など）が付着したり、硬質物体が擦れることによる傷つきを防止することができる。この結果、レンズ２４ｂの汚れ、傷つきによる画質の低下を防止して、常に良好な画像を得ることができるようになる。
【００５９】
なお、上記の実施の形態では、ファッションカバーＢに上筐体裏面部４Ｄや電池カバー部４Ｅが設けられ、これら上筐体裏面部４Ｄや電池カバー部４Ｅを介してファッションカバーＢが筺体１、２に取り付けられる構成を例に説明したが、ファッションカバーは、これらの上筐体裏面部４Ｄや電池カバー部４Ｅを有さず、ベース部材４Ａと外観部４Ｂとからのみで構成されてもよい。このような構成のファッションカバーＢ１の場合には、図９に示すように、筺体１、２の裏面から同面を鍔状に延出させた係着部４５を周囲に設け、ファッションカバーＢ１の係着開口４７の周縁には弾性線材（ゴム等）４９を設けておく。そして、弾性線材４９の弾性力に抗して係着開口４７を拡げて係着部４５に被せることで、ファッションカバーＢ１を筺体１、２の裏面側に容易に被着させることが可能となる。
【００６０】
次に、本発明に係る折曲型携帯電話機の他の実施の形態を説明する。
図１０は卓上使用された折曲型携帯電話機の側面図、図１１は最頂部より低く配設されたキートップを表す要部拡大斜視図である。
本実施の形態による折曲型携帯電話機２００は、上記の折曲型携帯電話機１００が備える主要部、すなわち、上筐体１、下筐体２、連結装置３、カメラ部２４及びベルト部材６を同様に備えている。したがって、ベルト部材６は、カメラ部２４のレンズ２４ｂを覆うことができる分、最短とした場合より長く形成されている。本実施の形態による折曲型携帯電話機２００は、主要構成要件の１つであるこのベルト部材６が所定の長さを有していることを利用して、有効な機能を発揮させている。
【００６１】
すなわち、ベルト部材６が所定の長さを有していることから、図５に示すように、本体部Ａが開かれて直線状態となった連結装置３を、図１０に示すように、さらに反対側に曲げることで、ベルト部材６の長さを有効利用して、所定角度で反転させた上筐体１、下筐体２の反転端同士を繋ぎとめることができる。これにより、下筐体２をベース部とする一方、上筐体１を起立表示部１３として、卓上端末としての使用が可能となる。
【００６２】
このような使用形態を可能とすることにより、例えばテレビ放送の受信が可能な折曲型携帯電話機２００では、表示部１３を起立させて置くことが可能となり、連結装置３を用いた折曲型携帯電話機２００から新たな機能を引出すことが可能となる。つまり、折曲型携帯電話機２００の産業上の利用性をさらに高めることができる。
【００６３】
ところで、折曲型携帯電話機２００を卓上使用した場合、下筐体２の主面２Ａが底面となり、机上面などに接触することとなり、操作部２２が押下されて誤動作を生じさせる虞がある。このため、折曲型携帯電話機２００では、このような誤動作を生じさせないようにする対策が必要となる。
【００６４】
このような卓上使用時における誤動作防止構造としては、例えば図１１に示すように、操作部２２のキートップ２２ａを、下筐体２の主面２Ａにおける最頂部５１より低く配設（最頂部未満に配設）している。最頂部５１は、主面２Ａそのものであってもよく、その他の突起物であってもよい。つまり、主面２Ａにおいて、最も高く突出している部分を言う。
【００６５】
このような構成によれば、操作部２２のキートップ２２ａが下筐体２の主面２Ａにおける最頂部５１より低く配設されることで、上筐体１、下筐体２を反転させ、ベルト部材６によって反転端同士を繋ぎとめ、折曲型携帯電話機２００を、下筐体２がベース部となるような卓上端末として使用した場合に、下筐体２の主面２Ａにおける最頂部５１が机上の上面に接触する。つまり、折曲型携帯電話機２００の自重が最頂部５１によって支持される。これにより、折曲型携帯電話機２００の自重により机上から反力を受け、キートップ２２ａが押下されることによる誤動作を防止することができる。
【００６６】
図１２は主面に凸部が突設された下筐体の平面図である。
また、卓上使用時における誤動作防止構造の他の変形例としては、操作部２２のキートップ２２ａより突出した少なくとも３つの凸部５５ａ、５５ｂ、５５ｃを、同一直線上に並べずに下筐体２の主面２Ａに設けたものであってもよい。この凸部５５ａ、５５ｂ、５５ｃは、主面２Ａを形成する第１連結部材３１を膨出させて形成することができる。この他、第１連結部材３１とは別体の部材を付設してもよい。
【００６７】
このような構成によれば、折曲型携帯電話機２００を卓上端末として使用した場合に、下筐体２の主面２Ａにおける３つの凸部５５ａ、５５ｂ、５５ｃが机上面に接触し、折曲型携帯電話機２００の自重が凸部５５ａ、５５ｂ、５５ｃによって支持される。これにより、キートップ２２ａを主面２Ａから突出させた良好な操作性を維持させながら、キートップ２２ａが折曲型携帯電話機２００の自重により押下されることによる誤動作が防止される。また、凸部５５ａ、５５ｂ、５５ｃが同一直線上に並ばないことから、下筐体２をグラツキなく机上などに安定的に置くことができる。
【００６８】
図１３は主面に凸部が突設された下筐体の平面図、図１４はリブが形成された下筐体に対して上筐体がズレた状態を表す作用説明図である。
さらに、卓上使用時における誤動作防止構造の他の変形例としては、操作部２２のキートップ２２ａより突出した一対の略平行な直線状のリブ５７、５７を、下筐体２の主面２Ａに設けるものであってもよい。このリブ５７、５７も第１連結部材３１を膨出させて形成してもよく、また、第１連結部材３１とは別体の部材を付設してもよい。
【００６９】
このような構成によれば、折曲型携帯電話機２００を卓上端末として使用した場合に、下筐体２の主面２Ａにおける一対の略平行な直線状のリブ５７、５７が机上面に接触し、折曲型携帯電話機２００の自重がこのリブ５７、５７によって支持される。これにより、キートップ２２ａを主面２Ａから突出させた良好な操作性を維持させながら、キートップ２２ａが折曲型携帯電話機２００の自重により押下されることによる誤動作が防止される。
【００７０】
そして、机上面との接触がリブ５７、５７であるので、突起に比べて大きな接触面の確保が可能となり、下筐体２をグラツキなく机上などに安定的に置くことが可能となる。また、一対の略平行な直線状のリブ５７、５７が主面２Ａの両側に配設されれば、外側からキートップ２２ａ側へのゴミの進入が防止可能となる。さらに、閉じられた状態の上筐体１と下筐体２が、図１４に示すように、外力によって主面２Ａと平行な方向でズレた場合であっても、上筐体１がリブ５７、５７から外れ難く、上筐体１がリブ５７、５７から外れ、上筐体１と下筐体２との主面１Ａ、２Ａ同士が直接接触することによる擦傷を防止することができる。
【図面の簡単な説明】
【００７１】
【図１】本発明に係る携帯端末の外観を示す斜視図である。
【図２】図１の分解斜視図である。
【図３】図１の本体部を裏面から見た斜視図である。
【図４】（ａ）に本発明に係る携帯端末の開いた状態の本体部及びこれに設けた連結装置を示し、（ｂ）にその本体部が閉じた状態を示す説明図である。
【図５】本発明に係る携帯端末を開いたときの中央断面図である。
【図６】ベルト部材とレンズとの位置関係を表す携帯端末の外観斜視図である。
【図７】ベルト部材にクリーナー部材を備えた携帯端末の側面図である。
【図８】ベルト部材とレンズとの相対位置関係が異なる変形例を表す斜視図である。
【図９】ファッションカバーの変形例を表す断面図である。
【図１０】卓上使用された折曲型携帯電話機の側面図である。
【図１１】最頂部より低く配設されたキートップを表す要部拡大斜視図である。
【図１２】主面に凸部が突設された下筐体の平面図である。
【図１３】主面に凸部が突設された下筐体の平面図である。
【図１４】リブが形成された下筐体に対して上筐体がズレた状態を表す作用説明図である。
【符号の説明】
【００７２】
１、２  筐体
１Ａ  主面
２Ａ  主面
３  連結装置
６  ベルト部材
１３  表示部
２２  操作部
２２ａ  キートップ
２４  カメラ部
２４ｂ  レンズ
４１  クリーナー部材
５１  最頂部
５５ａ、５５ｂ、５５ｃ  凸部
５７、５７  リブ
１００、２００  折曲型携帯電話機（携帯端末）
【図１】
2006019941.tif 000003
【図２】
2006019941.tif 000004
【図３】
2006019941.tif 000005
【図４】
2006019941.tif 000006
【図５】
2006019941.tif 000007
【図６】
2006019941.tif 000008
【図７】
2006019941.tif 000009
【図８】
2006019941.tif 000010
【図９】
2006019941.tif 000011
【図１０】
2006019941.tif 000012
【図１１】
2006019941.tif 000013
【図１２】
2006019941.tif 000014
【図１３】
2006019941.tif 000015
【図１４】
2006019941.tif 000016